(57)【特許請求の範囲】
【請求項１】
リールロック機構を備えたカセットを取り扱うテープ情報装置に備えられ、前記リールロック機構のロックを解除するテープ情報装置のリールロック解除機構であって、
このリールロック解除機構は、前記テープ情報装置のデッキ上に起立して前記リールロック機構のロックを解除する解除ピンと、
この解除ピンを、前記起立位置から前記カセットの下面より下方をなす退避位置まで揺動可能に支持する水平軸と、
前記解除ピンに当接して解除ピンを前記水平軸まわりに回動するスライドカムと、を備え、
前記解除ピンを、前記水平軸に支持される基部と、前記水平軸から離隔して前記基部の端部に起立したピン部と、から形成し、
前記スライドカムに、前記基部に対して前記ピン部の起立した側とは反対側から当接するとともに前記解除ピンを前記起立位置で保持するカム部を形成したことを特徴とするテープ情報装置のリールロック解除機構。
【請求項２】
前記解除ピンの他に、カセットの下方から固定的に起立する固定ピンを、前記解除ピンに対応するカセットと干渉しない位置に設けたことを特徴とする請求項１記載のテープ情報装置のリールロック解除機構。
【請求項３】
前記テープ情報装置は、複数のサイズのカセットを取扱うものであり、
前記解除ピンを前記複数のサイズのカセットそれぞれに対応した位置に設け、
前記スライドカムを移動可能に支持する移動支持部を設け、
前記スライドカムは、前記移動支持部の移動位置に応じて前記解除ピンの内の少なくとも一つを揺動すると共に前記起立位置で保持することを特徴とする請求項１記載のテープ情報装置のリールロック解除機構。
【請求項４】
前記デッキに複数のサイズのカセットと対応する位置に移動可能なリール台を備え、このリール台と前記スライドカムとを連動部材によって連結したことを特徴とする請求項３記載のテープ情報装置のリールロック解除機構。
【発明の詳細な説明】
【０００１】
【発明の属する技術分野】
本発明は、ＤＶＣ（デジタルビデオカセットテープ）等のカセットテープのリールロックを解除するためにカセットテープを保持するデッキ部に設けられるテープ情報装置のリールロック解除機構に関する。
【０００２】
【従来の技術】
ＤＶＣ等のカセットテープは、テープ情報装置から取り出した時のカセット内のテープの弛みを防止するために、図６のカセットテープのリールロック機構の平面図に示すごとく、カセットテープ１０１の内部にテープリール１０２，１０２をロックする回動可能な爪１０３，１０３と、この爪１０３，１０３を回動させてロックを解除する解除部１０４とからなるリールロック機構１０５を備える。
【０００３】
図７（ａ）は図６のＢ−Ｂ線断面図であり、解除部１０４は、カセットテープ１０１の下面の作用孔１０６に臨み、ばね１０７によってロック位置に保持され、カセットテープ１０１がテープ情報装置のデッキ上にセットされた場合は、同図（ｂ）のごとく、デッキ部に起立する解除ピン１０８がカセットテープ１０１の下面の作用孔１０６から解除部１０４に作用して解除位置１０４ａに移動させ、リールロックが解除される。
【０００４】
上記したカセットテープは、用途に対応した複数の規格（大、中、小カセット）があり、テープの長さ（４．５時間用、２時間用、１時間用）が異なるとともにカセット形状および上記解除ピンの作用位置が異なっている。
【０００５】
これら複数種別のカセットテープを同一の装置で取扱うようにしたコンパチブルタイプの装置にあっては、図８の従来のリールロック解除機構の要部断面図のごとく、大小のカセットを取扱うようにしたもの（例えば、特開平５−３１４６０９号公報）がある。
【０００６】
この装置１１０は、カセット種別に対応する位置に移動可能にリール台１１１を設け、かつ、大カセット用の解除ピン１１２の他に、小カセット１１３用の解除ピン１１４を支持柱１１５にスライド可能に設け、かつ、上昇位置に復帰させるばね１１６を備え、同解除ピン１１４にその押し下げに対抗し得るストッパ片１１７を設け、このストッパ片１１７が小カセット対応位置にあるリール台ブロックの上面１１８に係合するように構成したものである。
【０００７】
上記装置１１０は、リール台１１１の位置に応じて小カセット解除ピン１１４の押し下げを規制し、一方、リール台１１１が大カセット対応位置にある時は小カセット解除ピン１１４の押し下げが可能となることから、大カセットの装着に支障なく小カセット解除ピンを備えることができ、大小のカセットをコンパチブルに取扱うことができる。
【０００８】
【発明が解決しようとする課題】
しかしながら、上記技術は、解除ピンを支持する支持柱とばねおよびストッパ片を設け、かつ、所定位置に移動したリール台と係合するように上記ストッパ片を設ける必要があることから、上記大小のカセットの他に、中カセットまで取扱を拡大するためには、中カセット用の解除ピン、支持柱、ばねおよびストッパ片を設け、かつ、所定位置に対応してリール台と係合するように上記ストッパ片を設ける必要があることから構成の複雑化を招くという問題が有り、さらに、リール台の駆動機構をリール台に近接して配置する必要から、中カセット用の解除ピンを配置するスペースを確保することが困難である。
【０００９】
本発明の目的は、スペースを要することのない簡易な構成により、複数の解除ピンを必要に応じて選択保持し得るテープ情報装置のリールロック解除機構を得ることにある。
【００１０】
【課題を解決するための手段】
上記課題を解決するために、第１に、リールロック機構を備えたカセットを取り扱うテープ情報装置に備えられ、リールロック機構のロックを解除するテープ情報装置のリールロック解除機構であって、このリールロック解除機構に、テープ情報装置のデッキ上に起立してリールロック機構のロックを解除する解除ピンと、この解除ピンを、起立位置からカセットの下面より下方をなす退避位置まで揺動可能に支持する水平軸と、解除ピンに当接して解除ピンを水平軸まわりに回動するスライドカムと、を備え、解除ピンを、水平軸に支持される基部と、水平軸から離隔して基部の端部に起立したピン部と、から形成し、スライドカムに、基部に対してピン部の起立した側とは反対側から当接するとともに解除ピンを起立位置で保持するカム部を形成した。
【００１１】
リールロック解除機構に、テープ情報装置のデッキ上に起立してリールロック機構のロックを解除する解除ピンと、この解除ピンを、起立位置からカセットの下面より下方をなす退避位置まで揺動可能に支持する水平軸と、解除ピンに当接して解除ピンを水平軸まわりに回動するスライドカムと、を備え、解除ピンを、水平軸に支持される基部と、水平軸から離隔して基部の端部に起立したピン部と、から形成し、スライドカムに、基部に対してピン部の起立した側とは反対側から当接するとともに解除ピンを起立位置で保持するカム部を形成したので、簡易、かつ、コンパクトに構成することができ、また、解除ピンは退避位置において傾斜姿勢をなすことから、カセットの下方の高さ方向の寸法を抑えた構成が可能となる。
【００１２】
第２に、前記解除ピンの他に、カセットの下方から固定的に起立する固定ピンを、前記解除ピンに対応するカセットと干渉しない位置に設けた。
したがって、固定ピンに対応するカセットをセットする時に解除ピンが邪魔になることがなく、その上、昇降可能な解除ピンに対応するカセットは、固定ピンに干渉することなく取扱うことができるので、簡易な構成によって多種のカセットを取扱うことが可能となる。
【００１３】
第３に、テープ情報装置は、複数のサイズのカセットを取扱うものであり、解除ピンを複数のサイズのカセットそれぞれに対応した位置に設け、スライドカムを移動可能に支持する移動支持部を設け、スライドカムは、移動支持部の移動位置に応じて解除ピンの内の少なくとも一つを揺動すると共に起立位置で保持するようにした。
したがって、このリールロック解除機構の保持部材は、移動支持部とカム部を備えた簡易な構成により、保持部材の移動に応じて解除ピンの出没を選択することができる。
【００１４】
第４に、デッキに複数のサイズのカセットと対応する位置に移動可能なリール台を備え、このリール台とスライドカムとを連動部材によって連結した。
したがって、リール台と保持部材の駆動部を共通化することができるので、個別の駆動部による構成の複雑化を招くことなく、各種のカセットテープに対応することができる。
【００１５】
【発明の実施の形態】
本発明に係るテープ情報装置のリールロック解除機構の実施の形態について添付図面を参照して以下に説明する。
図１は本発明のテープ情報装置のリールロック解除機構の透視平面図であり、このテープ情報装置１は、シャーシ２に対して移動可能な２つのリール台ブロック３，４とこのリール台ブロック３，４を移動させるためのリール台駆動機構５、および、リールロック解除機構６を備え、その他、図示せぬカセットローディング機構、テープ取出し機構、記録再生ヘッド等を備える。
【００１６】
リール台ブロック３，４は左右に対称をなし、それぞれは、図示せぬ原動部を備えたリール台１１とそのベース１２等からなる。このベース１２は、固定レール１３に沿ってスライド可能な２ヵ所の移動部１５，１６を備え、これら移動部１５，１６はスライド駆動力を受けるための溝１８ａ，１８ｂを備え、かつ、両移動部１５，１６間の相対移動を許容するばね１７を介してベース１２の内側端部に押圧固定され、また、外側端部にガイド部１９を備え、ハの字型の移動経路上を移動可能とし、図の大カセットＣ１に対応する位置Ｒ１を含め、複数種別のカセットテープとの対応を確保する。
【００１７】
リール台駆動機構６は、原動部２１から継手２２、ウォーム減速部２３、ギヤ列２４を介して左右対称に噛合するピン付きギヤ２５，２６からなる。このピン付きギヤ２５，２６は、それぞれ、第１と第２のピン２７，２８をギヤ上に起立し、この第１のピン２７をリール台ブロック３，４のベース１２の溝１８ａに係合し、また、ピン付きギヤ２５，２６が回動した場合は、第２のピン２８をリール台ブロック３，４のベース１２の溝１８ｂに係合する。
【００１８】
上記ベース１２の溝１８ａは、大カセットＣ１を装着した位置において、第１のピン２７と係合し、ピン付きギヤ２５，２６の回動に応じて第２のピン２８が溝１８ｂに係合することにより、第１のピン２７が溝１８ａから離脱するまでの範囲でベース１２のスライドストロークを確保する。
【００１９】
リールロック解除機構６は、大カセットＣ１用の解除ピンをなす固定ピン３０を図示せぬデッキプレート上に起立する他、両リール台ブロック３，４に挟まれた中間位置に設けた第１と第２の水平軸３１，３２と、この水平軸３１，３２に揺動可能に取付けられた第１と第２の解除ピン３３，３４と、この解除ピン３３，３４の下方から係合して解除ピン３３，３４を一定位置に保持する保持部材をなすスライドカム３５と、その側部に形成したラック３６と噛合する連動部材をなす中間ギヤ３７とからなり、この中間ギヤ３７は上記ピン付きギヤ２５に同心に設けた小ギヤ３８と噛合する。
【００２０】
上記デッキに複数種類のカセットテープを取扱うための移動可能なリール台を備え、このリール台と保持部材とを連動部材によって連結したことから、リール台と保持部材の駆動部を共通化することができるので、個別の駆動部による構成の複雑化を招くことなく、各種のカセットテープに対応することができる。
【００２１】
上記第１と第２の解除ピン３３，３４は、以下の説明のごとく、中カセットＣ２および小カセットＣ３のリールロックを解除できるようにスライドカム３５によって選択的に一定位置に保持される。
【００２２】
図２は図１のＡ−Ａ線断面図であり、解除ピン３３，３４は、それぞれ、基部４１ａ，４１ｂの先端から同基部に直角に起立するピン部４２ａ，４２ｂを、後端側に下垂部４３ａ，４３ｂを備える。解除ピン３３，３４は、図示せぬストッパによって側面視略Ｖ字の姿勢でカセットＣ１の下方の退避位置に保持され、また、カセットテープのリールロック機構のロック解除を可能とする起立位置３３ａ，３４ａまでの範囲で揺動できるように支持する。上記起立位置３３ａ，３４ａは、中カセット、小カセットのロック解除位置と対応する。
【００２３】
スライドカム３５は、デッキプレート４４の下方で解除ピン３３，３４の下方に位置し、シャーシ２の溝４５ａ，４５ｂによってスライド可能に支持する移動支持部をなすピン４６ａ，４６ｂを備えたベース部４７と、このベース部４７から起立するカム部４８とからなり、カム部４８の上端は、図の待機位置Ｐ１から解除ピン３３，３４の下方に移動した時に各解除ピンの基部４１ａ，４１ｂに当接してそのピン部４２ａ，４２ｂを起立位置に保持する保持部４９をなす。この保持部４９は、また、上記起立状態をなす解除ピンの下垂部４３ａ，４３ｂに当接して解除ピンを回動させ、ピン部４２ａ，４２ｂを下降させる。
【００２４】
保持部材の移動行程上に複数の解除ピンを配置することにより、単一の保持部材の移動に応じて複数の解除ピンが選択的に出没されるので、複数の解除ピンを有するテープ情報装置を簡易に構成することができる。
【００２５】
このように構成されるテープ情報装置のリールロック解除機構の作用について説明する。
図３は図１のロック解除機構の作用を示す断面図であり、同図（ａ）の大カセットＣ１をセットする場合は、スライドカム３５を両解除ピン３３，３４から離間する待機位置Ｐ１において、水平軸３１，３２によって回動支持される両解除ピン３３，３４がカセットＣ１の下面より下方の退避位置まで回動可能となり、大カセットＣ１は、両解除ピン３３，３４の干渉を受けることなくデッキ上にセットすることができることから、固定ピン３０が大カセットＣ１に作用して同カセットの図示せぬリールロック機構を解除する。
【００２６】
同図（ｂ）の中カセットＣ２をセットする場合は、中カセットＣ２用の解除ピン３３の下方位置Ｐ２にスライドカム３５を移動させることにより、回動支持される解除ピンの基部４１ａがスライドカム３５の保持部４９に係合され、起立部４２ａがデッキ上に起立保持される。この場合、固定ピン３０は中カセットＣ２に干渉しない位置とし、また、小カセットＣ３の解除ピン３４はカセットＣ２の下面より下方の退避位置まで回動可能なので、中カセットＣ２は、固定ピン３０および小カセットＣ１の解除ピン３４の干渉を受けることなくデッキ上にセットすることができ、中カセットＣ２用の解除ピン３３のみが中カセットＣ２に作用して図示せぬリールロック機構を解除する。
【００２７】
図（ｃ）の小カセットＣ１をセットする場合は、小カセットＣ３用の解除ピン３４の下方位置Ｐ３にスライドカム３５を移動させることにより、中カセットＣ２の場合と同様に、起立部４２ｂがデッキ上に起立保持され、また、固定ピン３０および中カセットＣ２の解除ピン３３は小カセットＣ１に干渉しない位置であり、また、同解除ピン３３はカセットＣ３の下面より下方の退避位置まで回動可能なので、小カセットＣ１は、両解除ピン３０，３３の干渉を受けることなくデッキ上にセットすることができ、小カセットＣ３用の解除ピン３４のみが小カセットＣ３に作用して図示せぬリールロック機構を解除する。
【００２８】
次に、デッキ上のリール台ブロックと解除ピンとの関係を説明する。
図４は中カセット装着時の状態を示す図１と同様の図であり、リール台駆動機構５によってピン付きギヤ２５，２６が回動すると、それぞれの第１のピン２７と係合する溝１８ａを有する移動部１６、または、第２のピン２８と係合する溝１８ｂを有する移動部１５によってベース１２が固定レール３およびガイド部１９に沿って移動され、中カセットＣ２のリールセット位置Ｒ２までリール台ブロック３，４が移動される。
【００２９】
ピン付きギヤ２５，２６の２つのピン２７，２８が共に溝１８ａ，１８ｂに係合している時は、ベース１２の両移動部１５，１６間の距離が、ピン付きギヤ２５，２６の回動に対応してばね１７の圧縮により調整されつつベース１２がスライドされる。
【００３０】
また、上記ピン付きギヤ２５，２６の回動によるベース１２のスライドに伴い、一方のピン付きギヤ２５に同心に設けた小ギヤ３８と噛合する中間ギヤ３７が回動され、この中間ギヤ３７と噛合するラック３６によってスライドカム３５がスライドされて第１の解除ピン３３の下方位置Ｐ２に達し、この解除ピン３３を起立位置に保持する。リール台１１と解除ピン３３は連動して中カセットＣ２に対応する所定位置にセットされる。
【００３１】
図５は小カセット装着時の状態を示す図１と同様の図であり、リール台駆動機構５によってピン付きギヤ２５，２６が回動すると、第２のピン２８と係合する溝１８ｂを有する移動部１５によって前記同様にベース１２が移動され、小カセットＣ３のリールセット位置Ｒ３までリール台ブロック３，４を移動させ、かつ、スライドカム３５がスライドされて第２の解除ピン３４の下方位置Ｐ３に達し、この解除ピン３４を起立位置に保持する。リール台１１と解除ピン３４は連動してカセットＣ３に対応する所定位置にセットされる。
【００３２】
このように、本発明のテープ情報装置のリールロック解除機構は、リールロック機構のロックを解除する解除ピンが起立位置から退避位置までの範囲で揺動できるように水平軸によって揺動支持し、上記起立位置に解除ピンを保持可能に係合し得る保持部材を備えたことから、解除ピンは、水平軸を含め、簡易、かつ、コンパクトに構成することができ、また、解除ピンは退避位置において傾斜姿勢をなすことから、カセットの下方の高さ方向の寸法を抑えた構成が可能となる。したがって、本発明のリールロック解除機構は、その高さ寸法を最小限度に抑え、簡易、かつ、コンパクトに構成することができるので、デッキ構成の自由度を向上することができ、また、複数の解除ピンを配置することも容易となる。
【００３３】
【発明の効果】
以上に説明したように、請求項１のリールロック解除機構は、リールロック解除機構に、テープ情報装置のデッキ上に起立してリールロック機構のロックを解除する解除ピンと、この解除ピンを、起立位置からカセットの下面より下方をなす退避位置まで揺動可能に支持する水平軸と、解除ピンに当接して解除ピンを水平軸まわりに回動するスライドカムと、を備え、解除ピンを、水平軸に支持される基部と、水平軸から離隔して基部の端部に起立したピン部と、から形成し、スライドカムに、基部に対してピン部の起立した側とは反対側から当接するとともに解除ピンを起立位置で保持するカム部を形成したので、簡易、かつ、コンパクトに構成することができ、また、解除ピンは退避位置において傾斜姿勢をなすことから、カセットの下方の高さ方向の寸法を抑えた構成が可能となる。
【００３４】
したがって、本発明のリールロック解除機構は、その高さ寸法を最小限度に抑え、簡易、かつ、コンパクトに構成することができるので、デッキ構成の自由度を向上することができ、また、複数の解除ピンを配置することも容易となる。
【００３５】
請求項２のリールロック解除機構は、解除ピンの他に、カセットの下方から固定的に起立する固定ピンを、解除ピンに対応するカセットと干渉しない位置に設けたことから、固定ピンに対応するカセットをセットする時に解除ピンが邪魔になることがなく、その上、昇降可能な解除ピンに対応するカセットは、固定ピンに干渉することなく取扱うことができるので、簡易な構成によって多種のカセットを取扱うことが可能となる。
【００３６】
請求項３のリールロック解除機構は、テープ情報装置が、複数のサイズのカセットを取扱うものであり、解除ピンを複数のサイズのカセットそれぞれに対応した位置に設け、スライドカムを移動可能に支持する移動支持部を設け、スライドカムは、移動支持部の移動位置に応じて解除ピンの内の少なくとも一つを揺動すると共に起立位置で保持するようにしたので、解除ピンの出没を選択することができる。
【００３７】
請求項４のリールロック解除機構は、デッキに複数のサイズのカセットと対応する位置に移動可能なリール台を備え、このリール台とスライドカムとを連動部材によって連結したので、構成の複雑化を招くことなく、各種のカセットに対応することができる。
【図面の簡単な説明】
【図１】本発明のテープ情報装置のリールロック解除機構の透視平面図
【図２】図１のＡ−Ａ線断面図
【図３】図１のロック解除機構の作用を示す断面図
【図４】中カセット装着時の状態を示す図１と同様の図
【図５】小カセット装着時の状態を示す図１と同様の図
【図６】カセットテープのリールロック機構
【図７】図６のリールロック機構の作用を示す断面図
【図８】従来のリールロック解除機構の要部を示す断面図
【符号の説明】
１…テープ情報装置、２…シャーシ、３，４…リール台ブロック、５…リール台駆動機構、６…リールロック解除機構、１１…リール台、１２…ベース、１３…固定レール、１５，１６…移動部、１８ａ，１８ｂ…溝、１７…ばね、１９…ガイド部、２５，２６…ピン付きギヤ、２７，２８…第１と第２のピン、３０…固定ピン、３１，３２…第１と第２の水平軸、３３，３４…第１と第２の解除ピン、３３ａ，３４ａ…起立位置、３５…スライドカム（保持部材）、３６…ラック、３７…中間ギヤ（連動部材）、３８…小ギヤ、４１ａ，４１ｂ…基部、４２ａ，４２ｂ…ピン部、４３ａ，４３ｂ…下垂部、４４…デッキプレート、４５ａ，４５ｂ…溝、４６ａ，４６ｂ…ピン（移動支持部）、４７…ベース部、４８…カム部、４９…保持部、Ｃ１…大カセット、Ｃ２…中カセット、Ｃ３…小カセット、Ｐ１，Ｐ２，Ｐ３…スライドカム位置、Ｒ１，Ｒ２，Ｒ３…リール台ブロック位置。
【図１】
0003573308.tif 000002
【図２】
0003573308.tif 000003
【図３】
0003573308.tif 000004
【図４】
0003573308.tif 000005
【図５】
0003573308.tif 000006
【図６】
0003573308.tif 000007
【図７】
0003573308.tif 000008
【図８】
0003573308.tif 000009